【手続補正書】
【提出日】平成19年8月29日(2007.8.29)
【手続補正１】
【補正対象書類名】特許請求の範囲
【補正対象項目名】全文
【補正方法】変更
【補正の内容】
【特許請求の範囲】
【請求項１】
送信するデータを生成する生成手段と、
生成された前記データに基づいてキャリアを変調する変調手段と、
変調された前記キャリアを送信する送信手段とを備え、
前記生成手段は、立ち下がりエッジから、その直後の立ち上がりエッジまでの間隔である第１の間隔、またはその立ち上がりエッジから、その直後の立ち下がりエッジまでの間隔である第２の間隔が異なる複数種類の信号を、Ｎ（Ｎは２以上の整数）ビットの情報を表す前記データとして生成する
ことを特徴とする信号送信装置。
【請求項２】
前記複数種類の信号は、２のＮ（Ｎは２以上の整数）乗種類の信号である
ことを特徴とする請求項１に記載の信号送信装置。
【請求項３】
前記生成手段は、予め定められているコマンド区間において、スタート信号、前記信号、およびエンド信号の前記データを生成する
ことを特徴とする請求項１に記載の信号送信装置。
【請求項４】
送信するデータを生成する生成ステップと、
生成された前記データに基づいてキャリアを変調する変調ステップと、
変調された前記キャリアを送信する送信ステップとを含み、
前記生成ステップの処理は、立ち下がりエッジから、その直後の立ち上がりエッジまでの間隔である第１の間隔、またはその立ち上がりエッジから、その直後の立ち下がりエッジまでの間隔である第２の間隔が異なる複数種類の信号を、Ｎ（Ｎは２以上の整数）ビットの情報を表す前記データとして生成する
ことを特徴とする信号送信方法。
【請求項５】
送信するデータを生成する生成ステップと、
生成された前記データに基づいてキャリアを変調する変調ステップと、
変調された前記キャリアを送信する送信ステップとを含み、
前記生成ステップの処理は、立ち下がりエッジから、その直後の立ち上がりエッジまでの間隔である第１の間隔、またはその立ち上がりエッジから、その直後の立ち下がりエッジまでの間隔である第２の間隔が異なる複数種類の信号を、Ｎ（Ｎは２以上の整数）ビットの情報を表す前記データとして生成する
ことを特徴とするコンピュータが読み取り可能なプログラムが記録されている記録媒体。
【請求項６】
送信するデータを生成する生成ステップと、
生成された前記データに基づいてキャリアを変調する変調ステップと、
変調された前記キャリアを送信する送信ステップとを含み、
前記生成ステップの処理は、立ち下がりエッジから、その直後の立ち上がりエッジまでの間隔である第１の間隔、またはその立ち上がりエッジから、その直後の立ち下がりエッジまでの間隔である第２の間隔が異なる複数種類の信号を、Ｎ（Ｎは２以上の整数）ビットの情報を表す前記データとして生成する
ことをコンピュータに実行させることを特徴とするプログラム。
【請求項７】
信号を取得する取得手段と、
取得された前記信号のエッジを検出するエッジ検出手段と、
検出された立ち下がりエッジと、その直後の立ち上がりエッジの間隔を、第１の間隔として検出するとともに、その立ち上がりエッジと、その直後の立ち下がりエッジの間隔を第２の間隔として検出する間隔検出手段と、
検出された前記第１および第２の間隔に基づいて、前記信号が表すＮ（Ｎは２以上の整数）ビットの情報を判定する判定手段と
を備えることを特徴とする信号処理装置。
【請求項８】
前記エッジ検出手段は、立ち下がりエッジから、その直後の立ち上がりエッジまでの間隔である第１の間隔、またはその立ち上がりエッジから、その直後の立ち下がりエッジまでの間隔である第２の間隔が異なる２のＮ乗種類の信号の、第１のレベルから第２のレベルに遷移するエッジと、前記第２のレベルから前記第１のレベルに遷移するエッジとを検出する
ことを特徴とする請求項７に記載の信号処理装置。
【請求項９】
前記判定手段は、前記第１または第２の間隔に基づいて、スタート信号を判定し、そのスタート信号の直後の信号の前記第１および第２の間隔に基づいて、Ｎビットの情報を判定する
ことを特徴とする請求項７に記載の信号処理装置。
【請求項１０】
信号を取得する取得ステップと、
取得された前記信号のエッジを検出するエッジ検出ステップと、
検出された立ち下がりエッジと、その直後の立ち上がりエッジの間隔を、第１の間隔として検出するとともに、その立ち上がりエッジと、その直後の立ち下がりエッジの間隔を第２の間隔として検出する間隔検出ステップと、
検出された前記第１および第２の間隔に基づいて、前記信号が表すＮ（Ｎは２以上の整数）ビットの情報を判定する判定ステップと
を含むことを特徴とする信号処理方法。
【請求項１１】
信号を取得する取得ステップと、
取得された前記信号のエッジを検出するエッジ検出ステップと、
検出された立ち下がりエッジと、その直後の立ち上がりエッジの間隔を、第１の間隔として検出するとともに、その立ち上がりエッジと、その直後の立ち下がりエッジの間隔を第２の間隔として検出する間隔検出ステップと、
検出された前記第１および第２の間隔に基づいて、前記信号が表すＮ（Ｎは２以上の整数）ビットの情報を判定する判定ステップと
を含むことを特徴とするコンピュータが読み取り可能なプログラムが記録されている記録媒体。
【請求項１２】
信号を取得する取得ステップと、
取得された前記信号のエッジを検出するエッジ検出ステップと、
検出された立ち下がりエッジと、その直後の立ち上がりエッジの間隔を、第１の間隔として検出するとともに、その立ち上がりエッジと、その直後の立ち下がりエッジの間隔を第２の間隔として検出する間隔検出ステップと、
検出された前記第１および第２の間隔に基づいて、前記信号が表すＮ（Ｎは２以上の整数）ビットの情報を判定する判定ステップと
をコンピュータに実行させることを特徴とするプログラム。
【請求項１３】
信号を送信する送信装置と、前記送信装置から送信された前記信号を受信する受信装置からなる信号送受信システムにおいて、
前記送信装置は、立ち下がりエッジから、その直後の立ち上がりエッジまでの間隔である第１の間隔、またはその立ち上がりエッジから、その直後の立ち下がりエッジまでの間隔である第２の間隔が異なる複数種類の信号を、Ｎ（Ｎは２以上の整数）ビットの情報として送信し、
前記受信装置は、受信された前記信号の前記第１および第２の間隔に基づいて、その信号が表すＮビットの情報を判定する
ことを特徴とする信号送受信システム。
【請求項１４】
前記複数種類の信号は、２のＮ（Ｎは２以上の整数）乗種類の信号である
ことを特徴とする請求項１３に記載の信号送受信システム。
【請求項１５】
信号を送信する送信装置と、前記送信装置から送信された前記信号を受信する受信装置からなる信号送受信システムの信号送受信方法において、
前記送信装置は、立ち下がりエッジから、その直後の立ち上がりエッジまでの間隔である第１の間隔、またはその立ち上がりエッジから、その直後の立ち下がりエッジまでの間隔である第２の間隔が異なる複数種類の信号を、Ｎ（Ｎは２以上の整数）ビットの情報として送信し、
前記受信装置は、受信された前記信号の前記第１および第２の間隔に基づいて、その信号が表すＮビットの情報を判定する
ことを特徴とする信号送受信方法。
【手続補正２】
【補正対象書類名】明細書
【補正対象項目名】発明の名称
【補正方法】変更
【補正の内容】
【発明の名称】信号送信装置および方法、信号処理装置および方法、記録媒体、並びにプログラム、信号送受信システムおよび方法
【手続補正３】
【補正対象書類名】明細書
【補正対象項目名】０００１
【補正方法】変更
【補正の内容】
【０００１】
本発明は、信号送信装置および方法、信号処理装置および方法、記録媒体、並びにプログラム、信号送受信システムおよび方法に関し、特に、迅速かつ容易に信号を送受信することができるようにした信号送信装置および方法、信号処理装置および方法、記録媒体、並びにプログラム、信号送受信システムおよび方法に関する。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
本発明の信号送信装置は、送信するデータを生成する生成手段と、生成されたデータに基づいてキャリアを変調する変調手段と、変調されたキャリアを送信する送信手段とを備え、生成手段は、立ち下がりエッジから、その直後の立ち上がりエッジまでの間隔である第１の間隔、またはその立ち上がりエッジから、その直後の立ち下がりエッジまでの間隔である第２の間隔が異なる複数種類の信号を、Ｎ（Ｎは２以上の整数）ビットの情報を表すデータとして生成することを特徴とする。
前記複数種類の信号は、２のＮ（Ｎは２以上の整数）乗種類の信号であるようにすることができる。
【手続補正７】
【補正対象書類名】明細書
【補正対象項目名】００１３
【補正方法】変更
【補正の内容】
【００１３】
本発明の信号送信方法は、送信するデータを生成する生成ステップと、生成されたデータに基づいてキャリアを変調する変調ステップと、変調されたキャリアを送信する送信ステップとを含み、生成ステップの処理は、立ち下がりエッジから、その直後の立ち上がりエッジまでの間隔である第１の間隔、またはその立ち上がりエッジから、その直後の立ち下がりエッジまでの間隔である第２の間隔が異なる複数種類の信号を、Ｎ（Ｎは２以上の整数）ビットの情報を表すデータとして生成することを特徴とする。
【手続補正８】
【補正対象書類名】明細書
【補正対象項目名】００１４
【補正方法】変更
【補正の内容】
【００１４】
本発明の記録媒体のプログラムは、送信するデータを生成する生成ステップと、生成されたデータに基づいてキャリアを変調する変調ステップと、変調されたキャリアを送信する送信ステップとを含み、生成ステップの処理は、立ち下がりエッジから、その直後の立ち上がりエッジまでの間隔である第１の間隔、またはその立ち上がりエッジから、その直後の立ち下がりエッジまでの間隔である第２の間隔が異なる複数種類の信号を、Ｎ（Ｎは２以上の整数）ビットの情報を表すデータとして生成することを特徴とする。
【手続補正９】
【補正対象書類名】明細書
【補正対象項目名】００１５
【補正方法】変更
【補正の内容】
【００１５】
本発明のプログラムは、送信するデータを生成する生成ステップと、生成されたデータに基づいてキャリアを変調する変調ステップと、変調されたキャリアを送信する送信ステップとを含み、生成ステップの処理は、立ち下がりエッジから、その直後の立ち上がりエッジまでの間隔である第１の間隔、またはその立ち上がりエッジから、その直後の立ち下がりエッジまでの間隔である第２の間隔が異なる複数種類の信号を、Ｎ（Ｎは２以上の整数）ビットの情報を表すデータとして生成することをコンピュータに実行させることを特徴とする。
【手続補正１０】
【補正対象書類名】明細書
【補正対象項目名】００２１
【補正方法】変更
【補正の内容】
【００２１】
本発明のプログラムは、信号を取得する取得ステップと、取得された信号のエッジを検出するエッジ検出ステップと、検出された立ち下がりエッジと、その直後の立ち上がりエッジの間隔を、第１の間隔として検出するとともに、その立ち上がりエッジと、その直後の立ち下がりエッジの間隔を第２の間隔として検出する間隔検出ステップと、検出された第１および第２の間隔に基づいて、信号が表すＮ（Ｎは２以上の整数）ビットの情報を判定する判定ステップとをコンピュータに実行させることを特徴とする。
本発明の信号送受信システムは、信号を送信する送信装置と、送信装置から送信された信号を受信する受信装置からなる信号送受信システムにおいて、送信装置は、立ち下がりエッジから、その直後の立ち上がりエッジまでの間隔である第１の間隔、またはその立ち上がりエッジから、その直後の立ち下がりエッジまでの間隔である第２の間隔が異なる複数種類の信号を、Ｎ（Ｎは２以上の整数）ビットの情報として送信し、受信装置は、受信された信号の第１および第２の間隔に基づいて、その信号が表すＮビットの情報を判定することを特徴とする。
前記複数種類の信号は、２のＮ（Ｎは２以上の整数）乗種類の信号であるようにすることができる。
本発明の信号送受信方法は、信号を送信する送信装置と、送信装置から送信された信号を受信する受信装置からなる信号送受信システムの信号送受信方法において、送信装置は、立ち下がりエッジから、その直後の立ち上がりエッジまでの間隔である第１の間隔、またはその立ち上がりエッジから、その直後の立ち下がりエッジまでの間隔である第２の間隔が異なる複数種類の信号を、Ｎ（Ｎは２以上の整数）ビットの情報として送信し、受信装置は、受信された信号の第１および第２の間隔に基づいて、その信号が表すＮビットの情報を判定することを特徴とする。
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】変更
【補正の内容】
【００２３】
本発明においては、立ち下がりエッジから、その直後の立ち上がりエッジまでの間隔である第１の間隔、またはその立ち上がりエッジから、その直後の立ち下がりエッジまでの間隔である第２の間隔が異なる複数種類の信号が、Ｎ（Ｎは２以上の整数）ビットの情報を表すデータとして生成され、その生成されたデータに基づいて変調されたキャリアが送信される。
【手続補正１３】
【補正対象書類名】明細書
【補正対象項目名】００２４
【補正方法】変更
【補正の内容】
【００２４】
また、本発明においては、取得された信号から検出された立ち下がりエッジと、その直後の立ち上がりエッジの間隔が、第１の間隔として検出されるとともに、その立ち上がりエッジと、その直後の立ち下がりエッジの間隔が、第２の間隔として検出され、検出された第１および第２の間隔に基づいて、信号が表すＮ（Ｎは２以上の整数）ビットの情報が判定される。
さらに、本発明においては、送信装置が、立ち下がりエッジから、その直後の立ち上がりエッジまでの間隔である第１の間隔、またはその立ち上がりエッジから、その直後の立ち下がりエッジまでの間隔である第２の間隔が異なる複数種類の信号を、Ｎビットの情報として送信し、受信装置が、受信された信号の第１および第２の間隔に基づいて、その信号が表すＮ（Ｎは２以上の整数）ビットの情報を判定する。
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】変更
【補正の内容】
【００２６】
本発明によれば、信号を送信することができる。特に、本発明によれば、どのような電子機器に対しても、迅速かつ容易に信号を送信することができる。その結果、その信号に基づいて電子機器を迅速かつ容易に遠隔制御することが可能となる。
【手続補正１６】
【補正対象書類名】明細書
【補正対象項目名】００２７
【補正方法】変更
【補正の内容】
【００２７】
また、本発明によれば、信号を受信し、その信号が表す情報を判定することができる。特に、本発明によれば、迅速に送信されてくる信号が表す情報を、容易に判定することが可能となる。
さらに、本発明によれば、信号送受信システムを実現することができる。特に、本発明によれば、迅速かつ容易に信号を送受信することが可能となる。
【手続補正１７】
【補正対象書類名】明細書
【補正対象項目名】００３０
【補正方法】削除
【補正の内容】
【手続補正１８】
【補正対象書類名】明細書
【補正対象項目名】００３１
【補正方法】変更
【補正の内容】
【００３１】
請求項１の信号送信装置(例えば、図１のリモートコントローラ１１)は、送信するデータを生成する生成手段(例えば、図９のステップＳ２の処理を実行する図２のデータ生成部４２)と、生成された前記データに基づいてキャリアを変調する変調手段(例えば、図９のステップＳ３の処理を実行する図２のキャリア変調部４４)と、変調された前記キャリアを送信する送信手段(例えば、図９のステップＳ４の処理を実行する図２の発光部４５)とを備え、前記生成手段は、立ち下がりエッジから、その直後の立ち上がりエッジまでの間隔である第１の間隔(例えば、オンの期間)、またはその立ち上がりエッジから、その直後の立ち下がりエッジまでの間隔である第２の間隔(例えば、オフの期間)が異なる複数種類の信号（例えば、コード）を、Ｎ（Ｎは２以上の整数）ビットの情報を表す前記データとして生成することを特徴とする。
【手続補正１９】
【補正対象書類名】明細書
【補正対象項目名】００３３
【補正方法】変更
【補正の内容】
【００３３】
請求項４の信号送信方法、請求項５の記録媒体のプログラム、請求項６のプログラムは、送信するデータを生成する生成ステップ(例えば、図９のステップＳ２)と、生成された前記データに基づいてキャリアを変調する変調ステップ(例えば、図９のステップＳ３)と、変調された前記キャリアを送信する送信ステップ(例えば、図９のステップＳ４)とを含み、前記生成ステップの処理は、立ち下がりエッジから、その直後の立ち上がりエッジまでの間隔である第１の間隔(例えば、オンの期間)、またはその立ち上がりエッジから、その直後の立ち下がりエッジまでの間隔である第２の間隔(例えば、オフの期間)が異なる複数種類の信号（例えば、コード）を、Ｎ（Ｎは２以上の整数）ビットの情報を表す前記データとして生成することを特徴とする。
【手続補正２０】
【補正対象書類名】明細書
【補正対象項目名】００３４
【補正方法】変更
【補正の内容】
【００３４】
請求項７の信号処理装置(例えば、図１のテレビジョン受像機１２)は、信号を取得する取得手段(例えば、図１２のステップＳ１２の処理を実行する図１０の取得部１０２)と、取得された前記信号のエッジを検出するエッジ検出手段(例えば、図１２のステップＳ１３の処理を実行する図１０のエッジ検出部１０３)と、検出された立ち下がりエッジと、その直後の立ち上がりエッジの間隔を、第１の間隔(例えば、オンの期間)として検出するとともに、その立ち上がりエッジと、その直後の立ち下がりエッジの間隔を第２の間隔(例えば、オフの期間)として検出する間隔検出手段(例えば、図１２のステップＳ１４の処理を実行する図１０のオンオフ期間計測部１０４)と、検出された前記第１および第２の間隔に基づいて、前記信号が表すＮ（Ｎは２以上の整数）ビットの情報を判定する判定手段(例えば、図１３のコード判定処理を実行する図１０のコード判定部１０８)とを備えることを特徴とする。
【手続補正２１】
【補正対象書類名】明細書
【補正対象項目名】００３６
【補正方法】変更
【補正の内容】
【００３６】
請求項１０の信号処理方法、請求項１１に記録媒体のプログラム、請求項１２のプログラムは、信号を取得する取得ステップ(例えば、図１２のステップＳ１２)と、取得された前記信号のエッジを検出するエッジ検出ステップ(例えば、図１２のステップＳ１３)と、検出された立ち下がりエッジと、その直後の立ち上がりエッジの間隔を、第１の間隔として検出するとともに、その立ち上がりエッジと、その直後の立ち下がりエッジの間隔を第２の間隔として検出する間隔検出ステップ(例えば、図１２のステップＳ１４)と、検出された前記第１および第２の間隔に基づいて、前記信号が表すＮ（Ｎは２以上の整数）ビットの情報を判定する判定ステップ(例えば、図１２のステップＳ２２)とを含むことを特徴とする。
請求項１３に記載の信号送受信システムおよび請求項１５の信号送受信方法は、信号を送信する送信装置（例えば、図１のリモートコントローラ１１）と、前記送信装置から送信された前記信号を受信する受信装置（例えば、図１のテレビジョン受像機１２）からなる信号送受信システム（例えば、図１の信号送受信システム１）において、前記送信装置は、立ち下がりエッジから、その直後の立ち上がりエッジまでの間隔である第１の間隔（例えば、オンの期間）、またはその立ち上がりエッジから、その直後の立ち下がりエッジまでの間隔である第２の間隔（例えば、オフの期間）が異なる複数種類の信号（例えば、図６のコード）を、Ｎ（Ｎは２以上の整数）ビットの情報として送信し（例えば、図９のステップＳ４の処理）、前記受信装置は、受信された前記信号の前記第１および第２の間隔に基づいて、その信号が表すＮビットの情報を判定する（例えば、図１３のコード判定処理）ことを特徴とする。
【手続補正２２】
【補正対象書類名】明細書
【補正対象項目名】００３８
【補正方法】変更
【補正の内容】
【００３８】
図１は、本発明を適用した信号送受信システムの構成例を表している。この信号送受信システム１は、リモートコントローラ１１とテレビジョン受像機１２より構成されている。リモートコントローラ１１は、ユーザにより操作されたとき、その操作されたキーに対応する赤外線信号からなるリモートコントロール信号を、被制御機器であるテレビジョン受像機１２に向けて出力する。テレビジョン受像機１２は、赤外線信号を受信する受信部１２Ａを有しており、リモートコントローラ１１より供給されたリモートコントロール信号を受信し、その信号に対応する処理を実行する。また、テレビジョン受像機１２は、画像を表示するディスプレイ１２Ｂを有している。
【手続補正２３】
【補正対象書類名】明細書
【補正対象項目名】００７９
【補正方法】変更
【補正の内容】
【００７９】
ここで、ユーザがインタラクティブな操作をした場合、ユーザによる操作から、その操作に応じて電子機器が動作するまでの時間が、0.1秒以内であるとき、ユーザは、リモートコントローラに対する操作に応じて、電子機器がスムーズに動作していると感じるといわれているが、リモートコントローラ１１では、リモートコントロールコードが２４ビットのコマンドを送信するために必要なコマンド間隔Ｔcの最大値Ｔcmaxが、13.4msであり、0.1秒より十分小さくなっている。したがって、リモートコントローラ１１では、ユーザにテレビジョン受像機１２がスムーズに動作していると感じさせることができる。